(57)【要約】      （修正有）【課題】有用性を向上可能な判定装置、判定方法、判定プログラム及びデータ構造を提供する。【解決手段】判定装置１０ａは、アルコールなどの検査対象物質がユーザの腕などにに接触した場合のユーザの被検部位に測定光を照射して、測定光に対する被測定部位の内部の組織から反射光を取得する。反射光を血流量に関する情報として測定する測定部１１と、測定された血流量に関する情報に基づいて検査対象物質に対する反応を判定する判定部１２と、を備える。【選択図】図１
2019055046.tif 000002
【特許請求の範囲】
【請求項１】
検査対象物質がユーザに接触した場合の該ユーザの被検部位の血流量に関する情報を測定する測定部と、
前記測定された血流量に関する情報に基づいて前記検査対象物質に対する反応を判定する判定部と、
を備える判定装置。
【請求項２】
前記判定部は、前記血流量に関する情報の経時的な変化に基づいて、前記反応を判定する、請求項１に記載の判定装置。
【請求項３】
前記検査対象物質はアルコールである、請求項１に記載の判定装置。
【請求項４】
前記判定部が判定した結果を報知する報知部をさらに備える、請求項１に記載の判定装置。
【請求項５】
前記測定部は、光を出力する発光部と、前記被検部位からの前記光の反射光を受光する受光部とを備える、請求項１に記載の判定装置。
【請求項６】
検査対象物質を有する接触部材を備える、請求項５に記載の判定装置。
【請求項７】
前記接触部材は、開口を有し、
前記判定部は、前記接触部材において、前記接触部材が前記被検部位に接触する面の反対の面に配置され、
前記発光部は、前記測定部において、出力する前記光が前記開口を通過する位置に配置される、
請求項６に記載の判定装置。
【請求項８】
判定装置が、
検査対象物質がユーザに接触した場合の該ユーザの被検部位の血流量に関する情報を測定し、
前記測定された血流量に関する情報に基づいて前記検査対象物質に対する反応を判定する、
判定方法。
【請求項９】
コンピュータに、
検査対象物質がユーザに接触した場合の該ユーザの被検部位の血流量に関する情報を測定させ、
前記測定された血流量に関する情報に基づいて前記検査対象物質に対する反応を判定させる、判定プログラム。
【請求項１０】
検査対象物質がユーザに接触した場合の該ユーザの被検部位の血流量に関する情報と、
前記血流量に関する情報に基づいて、前記検査対象物質に対する反応を判定するための基準情報と、を有し、
コンピュータが、前記血流量に関する情報と前記基準情報とに基づいて前記反応を判定するための、データ構造。
【発明の詳細な説明】
【技術分野】
【０００１】
本開示は、判定装置、判定方法、判定プログラム及びデータ構造に関する。
【背景技術】
【０００２】
従来、被験物質に対する皮膚又は人体の反応を試験する方法が知られている。例えば、特許文献１には、被験物質を添加したジェルを染み込ませるパッド部を備えた貼付部材を人体の皮膚表面に貼付し、一定時間後に剥離して、パッド部が触れていた部分の皮膚の色を検査する方法が開示されている。
【先行技術文献】
【特許文献】
【０００３】
【特許文献１】特開２００４−６５６７５号公報
【発明の概要】
【発明が解決しようとする課題】
【０００４】
物質に対する人体の反応を、より簡便な方法で知ることができれば、有用である。
【０００５】
本開示の目的は、有用性を向上可能な判定装置、判定方法、判定プログラム及びデータ構造を提供することにある。
【課題を解決するための手段】
【０００６】
判定装置の一態様は、測定部と判定部とを備える。前記測定部は、検査対象物質がユーザに接触した場合の該ユーザの被検部位の血流量に関する情報を測定する。前記判定部は、前記測定された血流量に関する情報に基づいて前記検査対象物質に対する反応を判定する。
【０００７】
判定方法の一態様は、判定装置が、検査対象物質がユーザに接触した場合の該ユーザの被検部位の血流量に関する情報を測定し、前記測定された血流量に関する情報に基づいて前記検査対象物質に対する反応を判定する。
【０００８】
判定プログラムの一態様は、コンピュータに、検査対象物質がユーザに接触した場合の該ユーザの被検部位の血流量に関する情報を測定させ、前記測定された血流量に関する情報に基づいて前記検査対象物質に対する反応を判定させる。
【０００９】
データ構造の一態様は、検査対象物質がユーザに接触した場合の該ユーザの被検部位の血流量に関する情報と、前記血流量に関する情報に基づいて、前記検査対象物質に対する反応を判定するための基準情報と、を有し、コンピュータが、前記血流量に関する情報と前記基準情報とに基づいて前記反応を判定するためのものである。
【発明の効果】
【００１０】
本開示によれば、有用性を向上可能な判定装置、判定方法、判定プログラム及びデータ構造を提供できる。
【図面の簡単な説明】
【００１１】
【図１】第１実施形態に係る判定装置の本体の概略構成の一例を示す機能ブロック図である。
【図２】判定装置を被検部位に貼付した様子の一例を示す図である。
【図３】図２のＡ−Ａ断面図である。
【図４】図１の制御部が実行する判定処理の一例を示すフローチャートである。
【図５】判定装置を用いて行った実験の結果を示す図である。
【図６】図１の記憶部に記憶されるデータのデータ構造の概念図である。
【図７】第２実施形態に係る判定装置を被検部位に貼付した様子の一例を示す断面図である。
【図８】第３実施形態に係る判定装置及び接触部材を被検部位に貼付した様子の一例を示す断面図である。
【図９】第４実施形態に係る判定装置を被検部位に装着した様子の一例を示す断面図である。
【図１０】第５実施形態に係る判定装置を被検部位に貼付した様子の一例を示す断面図である。
【図１１】第６実施形態に係る判定システムの構成の一例を示す概略図である。
【図１２】第６実施形態に係る判定システムの概略構成の一例を示す機能ブロック図である。
【図１３】図１１の判定システムによる制御手順の一例を示すシーケンス図である。
【図１４】第７実施形態に係る判定装置の一例を示す概略図である。
【図１５】図１４の判定装置の概略構成の一例を示す機能ブロック図である。
【発明を実施するための形態】
【００１２】
以下、実施形態について、図面を参照して詳細に説明する。
【００１３】
（第１実施形態）
図１は、第１実施形態に係る判定装置の本体の概略構成の一例を示す機能ブロック図である。図１に示すように、判定装置は、本体１０ａと、後述する接触部材２０とを備える。判定装置本体１０ａは、測定部１１と、制御部１２と、記憶部１３と、報知部１４とを備える。判定装置本体１０ａは、被検部位における生体情報を測定する。判定装置本体１０ａは、例えば、所定の検査対象物質（以下、「対象物質」とも称する）に接触する被検部位における生体情報を測定する。判定装置本体１０ａは、測定した生体情報に基づいて、被検者の対象物質に対する反応を判定する。
【００１４】
生体情報は、測定部１１が測定可能な生体に関する情報であってよい。本実施形態では、一例として、生体情報が血流量である場合について説明するが、生体情報はこれに限られない。
【００１５】
被検部位は、測定部１１が生体情報を測定する被検者の部位である。被検部位は、測定部１１が生体情報を測定可能な任意の部位であってよく、本実施形態では腕であるとして説明する。
【００１６】
対象物質は、被検部位に接触させることにより、体質に応じて生体情報の変化を引き起こしうる物質である。本実施形態では、一例として、対象物質がアルコールであるとして説明するが、対象物質はこれに限られない。対象物質がアルコールである場合、判定装置本体１０ａは、被検者のアルコールに対する反応の判定において、被検者のアルコールに対する体質を判定することができる。アルコールに対する体質は、例えば、いわゆるアルコールに「強い」又は「弱い」と言われるものである。アルコールに対する体質は、主に、アルコールが体内で分解される過程で発生するアセトアルデヒドを分解するアセトアルデヒド脱水素酵素（ＡＬＤＨ）と呼ばれる分解酵素の働きによって決まる。ＡＬＤＨの働きが強い人はアルコールに「強い」と言われ、ＡＬＤＨの働きが弱い人は一般にアルコールに「弱い」と言われる。本実施形態に係る判定装置本体１０ａは、このようなアルコールに対する体質を判定することができる。判定装置本体１０ａによる判定方法の詳細については、後述する。
【００１７】
測定部１１は、被検部位である腕において、生体情報である血流量に関する情報を取得する。測定部１１は、取得した血流量に関する情報を、制御部１２に送信できる。
【００１８】
測定部１１は、例えば発光部１１ａと受光部１１ｂとを備えていてよい。測定部１１は、被検部位に光（測定光）を照射して、測定光に対する、被検部位の内部の組織からの反射光（散乱光）を取得する。測定部１１は、取得した散乱光の光電変換信号を、血流量に関する情報として、制御部１２に送信する。なお、血流量に関する情報は、測定部１１が取得した散乱光の光電変換信号のほか、光電変換信号に基づいて算出された血流量の情報等を含んでもよい。
【００１９】
発光部１１ａは、制御部１２の制御に基づいて測定光を被検部位に照射する。発光部１１ａは、例えば、血液中に含まれる所定の成分を検出可能な波長のレーザ光を、測定光として被検部位に照射する。発光部１１ａは、例えばＬＤ（レーザダイオード：Laser Diode）により構成されていてよい。
【００２０】
受光部１１ｂは、被検部位からの測定光の散乱光を受光する。受光部１１ｂは、例えば、ＰＤ（フォトダイオード：Photo Diode）により構成されていてよい。受光部１１ｂが受光した散乱光の光電変換信号は、制御部１２に送信される。
【００２１】
制御部１２は、判定装置本体１０ａの各機能ブロックをはじめとして、判定装置本体１０ａの全体を制御及び管理する少なくとも１つのプロセッサ１２ａを含む。制御部１２は、制御手順を規定したプログラムを実行するＣＰＵ（Central Processing Unit）等の少なくとも１つのプロセッサ１２ａを含んで構成され、その機能を実現する。このようなプログラムは、例えば記憶部１３、又は判定装置本体１０ａに接続された外部の記憶媒体等に格納される。
【００２２】
種々の実施形態によれば、少なくとも１つのプロセッサ１２ａは、単一の集積回路（ＩＣ）として、又は複数の通信可能に接続された集積回路ＩＣ及び／又はディスクリート回路（discrete circuits）として実行されてもよい。少なくとも１つのプロセッサ１２ａは、種々の既知の技術に従って実行されることが可能である。
【００２３】
一実施形態において、プロセッサ１２ａは、例えば、関連するメモリに記憶された指示を実行することによって１以上のデータ計算手続又は処理を実行するように構成された１以上の回路又はユニットを含む。他の実施形態において、プロセッサ１２ａは、１以上のデータ計算手続き又は処理を実行するように構成されたファームウェア（例えば、ディスクリートロジックコンポーネント）であってもよい。
【００２４】
種々の実施形態によれば、プロセッサ１２ａは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部１２としての機能を実行してもよい。
【００２５】
制御部１２は、測定部１１から取得した血流量に関する情報に基づき、被検部位における血流量を測定する。ここで、制御部１２による、ドップラーシフトを利用した血流量測定技術について説明する。
【００２６】
生体の組織内において、動いている血球から散乱された散乱光は、血液中の血球の移動速度に比例したドップラー効果による周波数シフト（ドップラーシフト）を受ける。制御部１２は、静止した組織からの散乱光と、動いている血球からの散乱光との光の干渉によって生じるうなり信号（ビート信号ともいう）を検出する。このうなり信号は、強度を時間の関数として表したものである。そして、制御部１２は、このうなり信号を、パワーを周波数の関数として表したパワースペクトルにする。このうなり信号のパワースペクトルでは、ドップラーシフト周波数は血球の速度に比例し、パワーは血球の量に対応する。制御部１２は、うなり信号のパワースペクトルに周波数をかけて積分することにより血流量を求めることができる。
【００２７】
制御部１２は、算出した血流量に基づいて、アルコールに対する被検者の反応を判定する判定部として機能する。制御部１２は、生体情報である血流量の経時的な変化に基づいて、被検者の反応を判定してよい。制御部１２による、反応の判定方法の詳細については、後述する。
【００２８】
記憶部１３は、半導体メモリ又は磁気メモリ等で構成されることができる。記憶部１３は、各種情報及び／又は判定装置本体１０ａを動作させるためのプログラム等を記憶する。記憶部１３は、ワークメモリとしても機能してもよい。記憶部１３は、例えば、測定部１１により取得されたデータを記憶してよい。記憶部１３は、制御部１２により実行される判定処理に用いられる種々の情報を記憶してもよい。
【００２９】
報知部１４は、音、振動、及び画像等で情報を報知する。報知部１４は、スピーカ、振動子、及び／又は表示デバイスを備えていてもよい。表示デバイスは、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等とすることができる。報知部１４は、例えば制御部１２が算出した判定結果を報知する。なお、判定装置本体１０ａは、判定を行った後、報知を行わない場合には、報知部１４を備えていなくてもよい。
【００３０】
次に、判定装置１０を用いた判定方法について、説明する。被検者は、判定装置１０を用いて判定を行う場合、例えば図２に一例として示すように、対象物質を浸透させた接触部材２０を有する判定装置１０を、被検部位である腕に貼付する。
【００３１】
接触部材２０は、被検部位に接触させる部材である。接触部材２０は、対象物質を浸透させることが可能な素材により構成されている。接触部材２０は、例えばガーゼ等の布類により構成されていてよい。接触部材２０は、第１の面と第２の面とを有し、いずれか一方の面が被検部位に接触する。本明細書では、被検部位に接触する面を第１の面と称し、第１の面と反対の面を第２の面と称する。接触部材２０は、第１の面から第２の面に貫通する開口２３を有する。
【００３２】
図３は、図２のＡ−Ａ断面図であり、判定装置１０の接触部材２０を被検部位に貼付した状態を示す模式的な断面図である。
【００３３】
被検者は、判定装置１０を用いて判定を行う場合、まずテープ３０を用いて接触部材２０を被検部位に貼付する。テープ３０は、例えばサージカルテープ等のテープ絆創膏であってよい。接触部材２０において、第１の面２１が被検部位に接触する。テープ３０は透明であってよい。テープ３０が透明であることにより、後述するように測定部１１の発光部１１ａから照射される測定光が、テープ３０に遮られることなく、被検部位に照射される。
【００３４】
被検者は、被検部位に貼付した接触部材２０の上から、テープ３１を用いて、さらに判定装置本体１０ａを被検部位に貼付する。なお、判定装置１０は、判定装置本体１０ａと接触部材２０とを有する。判定装置本体１０ａは、図１に示される各部材を有する。すなわち、判定装置本体１０ａは、接触部材２０の第２の面２２側において、被検部位に貼付される。このとき、判定装置本体１０ａは、測定部１１が被検部位に対向するように、被検部位に貼付される。判定装置本体１０ａは、測定部１１が接触部材２０の開口２３上に位置するように、被検部位に貼付される。これにより、測定部１１の発光部１１ａから照射される測定光が、接触部材２０により遮断されることなく、被検部位に届く。テープ３１は、例えばサージカルテープ等のテープ絆創膏であってよい。また、このテープ３２は、光を遮断若しくは減衰する素材のテープでもよい。光を遮断若しくは減衰する素材のテープとすることにより、テープ３１は、センサの両サイドからの光の侵入を軽減することができる。
【００３５】
被検部位に接触部材２０が貼付されると、接触部材２０に浸透されたアルコールが被検部位に接触する。被検部位では、アルコールへの接触により、被検者の体質に応じた反応が現れる。
【００３６】
判定装置１０は、上述のように被検部位に貼付された状態で、判定処理を実行する。判定装置１０は、被検者に現れる反応を検出することにより、判定処理を実行する。判定装置１０は、例えば、被検部位に貼付される前に被検者により起動されて判定処理を実行可能な状態にされてもよく、被検部位に貼付された後に被検者により起動されて判定処理を実行可能な状態にされてもよい。判定装置１０は、例えば、被検部位に接触部材２０を貼付した直後に判定処理を開始してよい。
【００３７】
図４は、図１の制御部１２が実行する判定処理の一例を示すフローチャートである。
【００３８】
制御部１２は、発光部１１ａから被検部位に測定光を照射させる（ステップＳ１０）。受光部１１ｂは、被検部位に照射された測定光に対する、被検部位の内部の組織からの反射光を受光する。受光部１１ｂは、受光した散乱光の光電変換信号を、制御部１２に出力する。
【００３９】
制御部１２は、受光部１１ｂからの出力を取得する（ステップＳ１１）。
【００４０】
制御部１２は、例えば上述のドップラーシフトを用いて、受光部１１ｂから取得した出力に基づき、被検部位における血流量を算出する（ステップＳ１２）。
【００４１】
制御部１２は、ステップＳ１２で算出した血流量を、判定の基準値として決定する（ステップＳ１３）。制御部１２は、基準値として決定した血流量を、記憶部１３に記憶してよい。
【００４２】
制御部１２は、ステップＳ１３で決定した基準値からの差分に基づいて判定を行う。ステップＳ１０からステップＳ１３は、基準値を決定する処理である。制御部１２は、判定処理を開始してから、すなわち図４に示すフローを開始してから、所定時間以内に基準値を決定する処理を完了してよい。基準値は、例えば、被検部位がアルコールに接触したことによる反応が現れる前の血流量であってよい。
【００４３】
制御部１２は、所定時間以内に、ステップＳ１０からステップＳ１２を複数回実行し、複数の血流量を算出してもよい。制御部１２は、例えば所定時間間隔ごとにステップＳ１０からステップＳ１２を複数回実行して、複数の血流量を算出してもよい。この場合、制御部１２は、ステップＳ１３において、算出した複数の血流量に基づいて算出した値を基準値として決定してよい。例えば、制御部１２は、ステップＳ１３において、算出した複数の血流量の平均値を、基準値として決定してもよい。
【００４４】
制御部１２は、ステップＳ１３において基準値を決定すると、再度、血流量を算出する処理を実行する。すなわち、制御部１２は、発光部１１ａから被検部位に測定光を照射させ（ステップＳ１４）、受光部１１ｂからの出力を取得し（ステップＳ１５）、血流量を算出する（ステップＳ１６）。ステップＳ１４からステップＳ１６の具体的な処理は、それぞれステップＳ１０からステップＳ１２と同様である。制御部１２は、ステップＳ１４からステップＳ１６を複数回実行してよい。制御部１２は、例えば所定の時間間隔で、ステップＳ１４からステップＳ１６を複数回実行してよい。
【００４５】
制御部１２は、ステップＳ１６で算出した血流量を、ステップＳ１３で決定した基準値と比較する（ステップＳ１７）。基準値との比較は、例えば、基準値に対する、ステップＳ１６で算出した血流量の変化の程度（例えば差分及び／又は割合）である。
【００４６】
すなわち、制御部１２はステップＳ１７において、ステップＳ１６で算出した血流量とステップＳ１３で決定した基準値との差分が、所定の値より大きいか否かを判定してもよいし、ステップＳ１６で算出した血流量とステップＳ１３で決定した基準値との差分が、所定の時間の間に、所定の値より大きくなったか否かを判定してもよい。
【００４７】
制御部１２は、ステップＳ１４からステップＳ１６を複数回実行した場合、算出した複数の血流量を基準値と比較して、血流値の経時的な変化を算出してもよい。
【００４８】
制御部１２は、ステップＳ１７における比較の結果に基づき、対象物質であるアルコールに対する被検部位の反応を判定する（ステップＳ１８）。被検部位の反応の判定は、例えば、基準値との比較結果に基づいた、被検者のアルコールに対する体質の判定であってよい。アルコールに対する体質は、例えば、複数の段階として判定されてよい。アルコールに対する体質は、例えば３段階で判定される場合、「強い」、「普通」、及び「弱い」等の分類として、判定されてよい。アルコールに対する体質は、例えば、数値により判定されてもよい。
【００４９】
ＡＬＤＨの働きが強い人は、ＡＬＤＨの働きが弱い人に比べ、アルコールが接触した被検部位における血流量の変化が小さい。そのため、制御部１２は、基準値に対する変化に基づいて、被検部位の反応を判定することができる。
【００５０】
制御部１２は、ステップＳ１８における判定結果を報知部１４から報知する（ステップＳ１９）。例えば報知部１４が表示デバイスである場合、制御部１２は、判定結果を表示デバイスに表示することにより判定結果を報知する。
【００５１】
図５は、判定装置１０を用いて、上述の判定方法により行った実験の結果を示す図である。実験は、５人の被験者に対して行われた。実験では、アルコール度数が８０％の溶液を浸透させた接触部材２０を用いた。実験において、判定装置１０は、１分毎に血流量を測定した。図５は、１分毎の各被検者の血流量の変化を示すグラフである。
【００５２】
図５に示すように、５人の被検者（被検者Ａ乃至被検者Ｅ）の血流量は、判定処理の開始後約２分間は、有意な変化は見られなかった。これは、接触部材２０が被検部位に接触してからの経過時間が短く、被検部位における反応がまだ現れていないためである。判定装置１０は、このように被検部位における反応が現れる前の所定時間以内（例えば２分以内）に測定した血流量を、図４のステップＳ１３において、基準値として決定することができる。本明細書では、基準値は、判定処理の開始後２分以内に測定された血流量に基づいて決定されるとして、以下説明する。
【００５３】
図５に示すように、被検者Ｃの血流量は、判定処理の開始後約３分から上昇している。特に、被検者Ｃの血流量は、判定処理の開始後４分から６分の間に大きく上昇している。これに対し、被検者Ａ、Ｂ、Ｄ及びＥの血流量は、判定処理の開始後３分以降も、被検者Ｃ程は血流量が変化していない。判定装置１０は、このように、基準値に対して血流量が大きく変化している被検者Ｃの体質を、例えばアルコールに弱い人と判定してよい。判定装置１０は、基準値に対して血流量の変化が小さい被検者Ａ、Ｂ、Ｄ及びＥの体質を、例えばアルコールに強い人と判定してよい。判定装置１０は、例えば、基準値に対して所定閾値以上又は所定割合以上、血流量が変化した場合に、アルコールに弱い人と判定してよい。
【００５４】
このように、アルコールが被検部位に接触した場合、被検部位における血流量の変化は、図５に一例として示すように、３分乃至４分程度で現れる。例えば従来知られている、所謂アルコールパッチテストは、皮膚の色の変化を観察するために、１０分乃至２０分程度を要する場合がある。本実施形態に係る判定装置１０によれば、従来知られているアルコールパッチテストよりも短時間で簡便にアルコールに対する体質を知ることができるため、被検者にとって有用性が高まる。
【００５５】
ここで、本開示の判定装置１０に格納されるデータのデータ構造について、図６を参照して説明する。図６は、図１の判定装置本体１０ａの記憶部１３に記憶されるデータのデータ構造の概念図である。図６において、各列の主キーには、黒丸を付している。各列には、各列の属性に対応した値のデータが少なくとも１以上格納されている。
【００５６】
図６に示されるように、判定装置本体１０ａは、個人ＩＤ、氏名、年齢、性別を含む被検者データ１００１を有する。ここで、個人ＩＤとは、ユーザを識別するための情報である。また、氏名とは、個人ＩＤに対応付けられた被検者の氏名である。年齢とは、個人ＩＤに対応付けられた被検者の年齢である。性別とは、個人ＩＤに対応付けられた被検者の性別である。
【００５７】
また、図６に示されるように、判定装置本体１０ａは、個人ＩＤ、測定日時、基準値、測定血流量及び判定結果を含む測定データ１００３を有する。ここで、測定日時は、判定装置１０が被検者の生体情報を測定した日時である。基準値は、制御部１２が決定した、被検者の基準値である。測定血流量は、制御部が算出した、被検者の血流量である。判定結果は、制御部１２が判定した判定結果である。
【００５８】
本実施形態に係る判定装置１０によれば、血流量の変化に基づいて、体質を判定する。例えば従来知られているアルコールパッチテストは、皮膚の色の変化を観察することにより体質を判定するが、皮膚の色は個人毎に異なり、皮膚の色の変化も個人毎に異なる。そのため、必ずしも体質に応じた皮膚の色の変化が現れない場合もある。また、皮膚の色の変化は、必ずしも明確には判定しづらい。これらの理由により、従来知られているアルコールパッチテストによれば、体質の判定精度が必ずしも高くない場合がある。これに対し、本実施形態に係る判定装置１０によれば、被検者自らの血流に基づいて決定した基準値からの変化により、被検者の体質を判定する。そのため、判定装置１０は、被検者の体質に応じた変化に基づいて体質を判定するため、判定精度が高まる。このようにして、判定装置１０によれば、有用性が高まる。
【００５９】
また、本実施形態に係る判定装置１０によれば、血流量の変化に基づいて体質を判定するため、被検者の皮膚の色によらず、体質を判定することができる。
【００６０】
なお、図５で説明した例において、判定装置１０は、例えば被検者Ａ、Ｂ、Ｄ及びＥの体質を、アルコールに強い人としてひとまとめに分類するのではなく、血流量の変化に応じて、さらに細かく分類してもよい。従来のアルコールパッチテストによれば、皮膚の色の変化を細かく分類することは困難であるが、判定装置１０によれば、血流量の変化に応じて、容易に体質を分類することができる。
【００６１】
（第２実施形態）
第１実施形態では、判定装置本体１０ａと接触部材２０とがそれぞれ独立して構成されており、これら判定装置本体１０ａと接触部材２０とを被検部位に貼付する例について説明した。第１実施形態で示した判定装置本体１０ａと接触部材２０とは、一体の判定装置として構成されていてもよい。第２実施形態では、第１実施形態で示した判定装置本体１０ａと接触部材２０とが一体として構成された判定装置１００について説明する。
【００６２】
図７は、第２実施形態に係る判定装置１００を被検部位に貼付した様子の一例を示す断面図であり、第１実施形態における図３に対応する図である。本実施形態における判定装置１００は、判定装置本体１０ａと、接触部材２０とを備える。判定装置本体１０ａ及び接触部材２０は、それぞれ第１実施形態で説明したものと同一の機能を有する。本実施形態では、判定装置本体１０ａと接触部材２０とが結合（接着）されて、判定装置１００が構成されている。判定装置本体１０ａと接触部材２０とは、接触部材２０に浸透された対象物質が判定装置本体１０ａに接触しないように、例えばシート部材を介して結合されていてよい。シート部材は、例えば透明であってよい。接触部材２０は、判定装置１００を使用して判定を行った後、新たな接触部材２０と取換え可能に構成されていてもよい。これにより、判定装置１００は、接触部材２０を取り換えて、複数回使用することができる。
【００６３】
被検者は、判定装置１００を用いて判定を行う場合、テープ３２を用いて判定装置１００を被検部位に貼付する。テープ３２は、例えばサージカルテープ等のテープ絆創膏であってよい。判定装置１００が被検部位に貼付された状態で、判定装置本体１０ａが判定処理を実行する。判定装置本体１０ａが実行する判定処理は、第１実施形態で説明したものと同様であってよいため、ここでは詳細な説明を省略する。また、このテープ３２は、光を遮断若しくは減衰する素材のテープでもよい。光を遮断若しくは減衰する素材のテープとすることにより、テープ３１は、センサの両サイドからの光の侵入を軽減することができる。
【００６４】
（第３実施形態）
第１実施形態では、接触部材２０を被検部位に貼付し、判定装置本体１０ａを接触部材２０の上からさらに貼付する例について説明した。しかしながら、判定装置本体１０ａと接触部材２０との貼付の例は、これに限られない。第３実施形態では、判定装置本体１０ａと接触部材２０との他の判定装置１２０の一形態の例について説明する。
【００６５】
図８は、第３実施形態に係る判定装置１２０の断面図である。図８は、判定装置本体１０ａ及び接触部材２０を被検部位に貼付した様子の一例を示す断面図である。本実施形態においては、図８に示すように、判定装置本体１０ａが被検部位に直接貼付される。接触部材２０は、判定装置本体１０ａの周囲において、被検部位に貼付される。例えば、接触部材２０の開口２３に判定装置本体１０ａが配置されることにより、判定装置本体１０ａと接触部材２０とが被検部位に直接貼付されてよい。判定装置本体１０ａと接触部材２０とは、例えばテープ絆創膏等のテープ３３を用いて被検部位に貼付されてよい。
【００６６】
被検者は、判定装置本体１０ａを被検部位に貼付した状態で、判定装置本体１０ａに判定処理を実行させる。判定装置本体１０ａが実行する判定処理は、第１実施形態で説明したものと同様であってよいため、ここでは詳細な説明を省略する。
【００６７】
本実施形態で示したように、判定装置本体１０ａを被検部位に直接貼付した場合、第１実施形態のように判定装置本体１０ａを接触部材２０の上から被検部位に貼付する場合と比較して、測定部１１と被検部位との距離が、より近くなる。例えば、図８に示す例では、測定部１１が被検部位と接触している。この場合、測定部１１の受光部１１ｂが被検部位から受光する反射光の強度がより高くなるとともに、測定部１１の受光部１１ｂが被検部位から受光する反射光は、外部の環境からの影響を受けにくくなる。これにより、測定部１１による生体情報の測定精度が向上し得る。
【００６８】
（第４実施形態）
第４実施形態では、判定装置本体１０ａと接触部材２０との他の一形態の例について説明する。図９は、第４実施形態に係る判定装置１１０を被検部位に装着した様子の一例を示す断面図である。
【００６９】
図９に示すように、本実施形態に係る判定装置１１０は、判定装置本体１０ａに接続された保持部４０とを備える。保持部４０は、例えばアーチ形状である。保持部４０の第１端４０ａ側に、判定装置本体１０ａが接続されている。
【００７０】
被検者は、判定装置１１０を用いて判定を行う場合、保持部４０において、第１端４０ａの反対側である第２端４０ｂに接触部材２０を配置する。被検者は、判定装置本体１０ａと接触部材２０とで、被検部位を挟み込むようにして、判定装置１１０を装着する。保持部４０は、例えば判定装置１１０による被検部位への装着状態を維持しやすいように、ばね等により第１端４０ａ及び第２端４０ｂから被検部位に付勢可能に構成されていてよい。保持部４０は、例えばねじ等により判定装置１１０による被検部位への装着状態を維持しやすいように構成されていてもよい。判定装置本体１０ａ及び接触部材２０は、例えばテープ等により、被検部位に固定されてもよい。第２端４０ｂにおいて、接触部材２０は、取換え可能に構成されていてよい。
【００７１】
本実施形態において、判定装置本体１０ａ及び接触部材２０は、それぞれ第１実施形態で説明したものと同一の機能を有する。本実施形態では、図９に示すように、被検部位の２つの対向する面において、判定装置本体１０ａと接触部材２０とが挟み込むようにして、被検部位に接触する。本実施形態では、接触部材２０に接触した被検部位における血流量の変化に基づいて、判定装置本体１０ａが判定処理を行う。判定装置本体１０ａが実行する判定処理は、第１実施形態で説明したものと同様であってよいため、ここでは詳細な説明を省略する。
【００７２】
本実施形態においても、第１実施形態で示した場合と同様に判定を行うことができる。本実施形態に係る判定装置１１０は、例えば、人体において保持部４０により挟み込むことが可能な位置を被検部位とする場合に、使用し得る。被検部位の一例は、耳朶であってよい。
【００７３】
（第５実施形態）
判定装置は、必ずしも接触部材２０と併せて用いられるものでなくてもよい。第５実施形態では、接触部材２０を用いずに判定を行うことが可能な判定装置について説明する。
【００７４】
図１０は、第５実施形態に係る判定装置５０を被検部位に貼付した様子の一例を示す断面図である。判定装置５０は、例えばテープ等により被検部位に貼付されてよいが、図１０では、テープの図示を省略している。判定装置５０において、被検部位に貼付された際に被検部位に接触する面を第１の面５０ａとし、第１の面５０ａの反対側の面を第２の面５０ｂとする。
【００７５】
本実施形態に係る判定装置５０は、機能ブロックとして、図１を用いて説明したように、測定部と、制御部と、記憶部と、報知部とを備えていてよい。
【００７６】
判定装置５０は、さらに流路５１を備える。流路５１は、第１の面５０ａ側に配置される接触流路５１ａと、第１の面５０ａから第２の面５０ｂに延びる注入流路５１ｂとを備えていてよい。接触流路５１ａは、判定装置５０が被検部位に貼付された状態で、少なくとも一部が被検部位に接触してよい。注入流路５１ｂは、第２の面５０ｂにある注入口５２と、接触流路５１ａとを結ぶ流路である。
【００７７】
被検者は、判定装置５０を用いて判定を行う場合、被検部に貼付した判定装置５０の流路５１に、対象物質（例えばアルコール）を注入する。例えば、被検者は、注入口５２から対象物質を注入する。注入口５２から注入された対象物質は、注入流路５１ｂを通って、接触流路５１ａに流れ込む。接触流路５１ａに流れ込んだ対象物質は、被検部位に染み出すことにより、被検部位が対象物質に接触する。例えば流路５１ａが脱脂綿等により構成されており、脱脂綿にしみ込んだアルコールが接触部位に染み出すとしてもよい。また、例えば、流路５１ａの被験部位側に数ミクロンの小さな穴が開いていて、アルコールが染み出すような仕組みでもよい。この場合、穴の開閉ができるとしてもよい。
【００７８】
判定装置５０が実行する判定処理は、第１実施形態における判定装置１０が実行する判定処理と同様であってよいため、ここでは詳細な説明を省略する。
【００７９】
本実施形態においても、接触流路５１ａから対象物質が被検部位に染み出すことにより、被検部位において血流量の変化が生じ得る。判定装置５０は、血流量の変化に基づいて、判定処理を行うことができる。
【００８０】
（第６実施形態）
第１実施形態では、被検部位に貼付される判定装置１０が判定処理を行う場合について説明したが、判定処理は、必ずしも被検部位に貼付される判定装置１０により実行されなくてよい。第６実施形態では、被検部位に貼付される測定装置と通信可能に接続された情報処理装置が判定処理を実行する場合の一例について説明する。
【００８１】
図１１は、第６実施形態に係る判定システムの構成の一例を示す概略図である。判定システム２００は、測定装置６０と、情報処理装置７０とを備える。測定装置６０と情報処理装置７０とは、ネットワーク３０１を介して互いに通信可能に接続されている。測定装置６０と情報処理装置７０とは、例えば、有線通信、無線通信、又は有線通信と無線通信との組合せにより接続されている。測定装置６０と情報処理装置７０とを相互に接続するネットワーク３０１は、インターネット又は無線ＬＡＮ等であってよい。
【００８２】
図１２は、第６実施形態に係る判定システム２００の概略構成の一例を示す機能ブロック図である。ただし、図１２では、測定装置６０が備える接触部材の記載を省略し、測定装置６０が備える測定装置本体６０ａを示している。
【００８３】
測定装置本体６０ａは、測定部６１と、制御部６２と、記憶部６３と、通信部６５とを備える。測定装置本体６０ａは、第１実施形態に係る判定装置本体１０ａと同様に、例えばテープなどで被検部位に貼付されて使用される。
【００８４】
測定部６１は、発光部６１ａ及び受光部６１ｂを備える。測定部６１、発光部６１ａ及び受光部６１ｂの構成及び機能は、それぞれ上述した測定部１１、発光部１１ａ及び受光部１１ｂと同じであってよい。すなわち、測定部６１は、被検部位における生体に関する情報を測定する。
【００８５】
制御部６２は、測定装置本体６０ａの各機能ブロックをはじめとして、測定装置本体６０ａの全体を制御及び管理する少なくとも１つのプロセッサ６２ａを含む。制御部６２は、制御手順を規定したプログラムを実行するＣＰＵ等の少なくとも１つのプロセッサ６２ａを含んで構成され、その機能を実現する。このようなプログラムは、例えば記憶部６３、又は測定装置本体６０ａに接続された外部の記憶媒体等に格納される。プロセッサ６２ａは、例えば第１実施形態で示したプロセッサ１２ａと同様の構成であってよいため、ここでは詳細な説明を省略する。制御部６２は、測定部６１が測定した生体に関する情報を、通信部６５から、情報処理装置７０に送信する。
【００８６】
記憶部６３は、半導体メモリ又は磁気メモリ等で構成されることができる。記憶部６３は、各種情報及び／又は測定装置６０を動作させるためのプログラム等を記憶する。記憶部６３は、ワークメモリとしても機能してもよい。記憶部６３は、例えば、測定部６１が取得した生体に関する情報（すなわち散乱光の受光強度）等のデータを記憶してよい。
【００８７】
この記憶部６３には、例えば前述の図６を参照して説明したデータ構造のデータが格納される。
【００８８】
通信部６５は、情報処理装置７０と有線通信、無線通信、又は有線通信と無線通信との組合せにより、各種情報の送受信を行う。例えば、通信部６５は、測定装置６０が測定した生体に関する情報を情報処理装置７０に送信する。
【００８９】
情報処理装置７０は、制御部７２と、記憶部７３と、報知部７４と、通信部７５とを備える。情報処理装置７０は、例えばコンピュータ等のサーバ装置として構成されることができる。情報処理装置７０は、例えばスマートフォン等の端末装置として構成されていてもよい。
【００９０】
制御部７２は、情報処理装置７０の各機能ブロックをはじめとして、情報処理装置７０の全体を制御及び管理する少なくとも１つのプロセッサ７２ａを含む。制御部７２は、制御手順を規定したプログラムを実行するＣＰＵ等の少なくとも１つのプロセッサ７２ａを含んで構成され、その機能を実現する。このようなプログラムは、例えば記憶部７３、又は情報処理装置７０に接続された外部の記憶媒体等に格納される。プロセッサ７２ａは、例えば第１実施形態で示したプロセッサ７２ａと同様の構成であってよいため、ここでは詳細な説明を省略する。制御部７２は、測定装置６０から取得（受信）した生体に関する情報に基づいて、対象物質に対する被検者の反応を判定する。
【００９１】
記憶部７３は、半導体メモリ又は磁気メモリ等で構成されることができる。記憶部７３は、各種情報及び／又は情報処理装置７０を動作させるためのプログラム等を記憶する。記憶部７３は、ワークメモリとしても機能してもよい。記憶部７３は、例えば、制御部７２により実行される判定処理に用いられる種々の情報を記憶してもよい。
【００９２】
報知部７４は、音、振動、及び画像等で情報を報知する。報知部７４の機能及び構成は、例えば第１実施形態で説明した報知部１４と同様であってよいため、ここでは詳細な説明を省略する。
【００９３】
通信部７５は、測定装置６０と有線通信、無線通信、又は有線通信と無線通信との組合せにより、各種情報の送受信を行う。例えば、通信部７５は、測定装置６０から生体に関する情報を受信する。
【００９４】
判定システム２００は、測定装置６０が被検部位に貼付された状態で、判定処理を実行する。測定装置６０は、被検部位に貼付される前又は貼付された後で、被検者により起動されて、生体に関する情報を測定可能な状態にされてよい。
【００９５】
図１３は、図１１の判定システム２００による制御手順の一例を示すシーケンス図である。
【００９６】
まず、測定装置６０が、測定部６１の発光部６１ａから被検部位に測定光を照射させる（ステップＳ２０）。受光部６１ｂは、被検部位に照射された測定光に対する、被検部位の内部の組織からの反射光を受光する。受光部６１ｂは、受光した散乱光の光電変換信号を、制御部６２に出力する。
【００９７】
測定装置６０は、制御部６２において、受光部６１ｂからの出力を取得する（ステップＳ２１）。
【００９８】
測定装置６０は、通信部６５から、受光部６１ｂの出力に関する情報を、情報処理装置７０に送信する（ステップＳ２２）。
【００９９】
情報処理装置７０は、測定装置６０から、受光部６１ｂの出力に関する情報を取得すると、制御部７２において、例えば上述のドップラーシフトを用いて、被検部位における血流量を算出する（ステップＳ２３）。
【０１００】
制御部７２は、ステップＳ２３で算出した血流量を、判定の基準値として決定する（ステップＳ２４）。制御部７２は、基準値として決定した血流量を、記憶部７３に記憶してよい。
【０１０１】
制御部７２は、判定処理を開始してから、すなわち図１３に示すシーケンスを開始してから、所定時間以内に基準値を決定する処理を完了してよい。基準値は、例えば、被検部位がアルコールに接触したことによる反応が現れる前の血流量であってよい。
【０１０２】
制御部７２は、所定時間以内に、測定装置６０から受信した複数の出力に関する情報に基づいて、複数の血流量を算出してもよい。この場合、制御部７２は、算出した複数の血流量に基づいて算出した値を基準値として決定してよい。例えば、制御部７２は、算出した複数の血流量の平均値を、基準値として決定してもよい。
【０１０３】
測定装置６０は、再度、生体に関する情報を測定する処理を実行する。すなわち、測定装置６０は、発光部６１ａから被検部位に測定光を照射し（ステップＳ２５）、受光部６１ｂからの出力を取得する（ステップＳ２６）。
【０１０４】
測定装置６０は、通信部６５から、受光部６１ｂの出力に関する情報を、情報処理装置７０に送信する（ステップＳ２７）。
【０１０５】
情報処理装置７０は、測定装置６０から取得した出力に関する情報に基づき、血流量を算出する（ステップＳ２８）。測定装置６０と情報処理装置７０とは、例えば所定の時間間隔で、ステップＳ２５からステップＳ２８を複数回実行してよい。
【０１０６】
制御部７２は、ステップＳ２８で算出した血流量を、ステップＳ２４で決定した基準値と比較する（ステップＳ２９）。基準値との比較の詳細は、図４のステップＳ１７で説明した方法と同じであってよい。
【０１０７】
制御部７２は、ステップＳ２９における比較の結果に基づき、対象物質であるアルコールに対する被検部位の反応を判定する（ステップＳ３０）。
【０１０８】
制御部７２は、ステップＳ３０における判定結果を報知部７４から報知する（ステップＳ３１）。
【０１０９】
本実施形態においても、第１実施形態と同様に、短時間で簡便にアルコールに対する体質を知ることができるため、被検者によって有用性が高まる。
【０１１０】
（第７実施形態）
次に、判定装置の第７実施形態について図１４を参照して説明する。図１４は、第７実施形態に係る判定装置１３０の一例を示す概略図である。
【０１１１】
図１４に示されるように、第７実施形態に係る判定装置１３０は、測定部１０１と、測定装置本体１０５と、ケーブル１０３とを備え、測定部１０１と測定装置本体１０５とがケーブル１０３により接続されている。ケーブル１０３は、測定部１０１と測定装置本体１０５との間でデータや電力を送受信する。
【０１１２】
この第７実施形態の判定装置１３０の動作は、上述の各実施形態の動作と同様である。測定部１０１は、上記各実施形態において、判定装置本体１０ａが配置（貼付）されていた位置に、配置される。
【０１１３】
次に、図１５を参照して、判定装置１３０が備える機能ブロックについて説明する。図１５は、図１４の判定装置の概略構成の一例を示す機能ブロック図である。
【０１１４】
測定部１０１は、発光部１１ａと、受光部１１ｂと、通信部１０２とを備える。発光部１１ａ及び受光部１１ｂは、それぞれ第１実施形態で説明した発光部１１ａ及び受光部１１ｂに対応する。通信部１０２は、ケーブル１０３を介して、測定装置本体１０５と、各種情報の送受信を行う。例えば、通信部１０２は、受光部１１ｂが受光した散乱光の光電変換信号を、測定装置本体１０５に送信する。
【０１１５】
測定装置本体１０５は、プロセッサ１２ａを備える制御部１２と、記憶部１３と、報知部１４と、通信部１０４と、入力部１０９とを備える。プロセッサ１２ａ、制御部１２、記憶部１３及び報知部１４は、それぞれ第１実施形態で説明したプロセッサ１２ａ、制御部１２、記憶部１３及び報知部１４に対応する。
【０１１６】
本実施形態において、報知部１４は、表示部１０７を備える。表示部１０７は、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等の周知のディスプレイにより構成される表示デバイスである。
【０１１７】
通信部１０４は、ケーブル１０３を介して、測定部１０１と、各種情報の送受信を行う。例えば、通信部１０４は、受光部１１ｂが受光した散乱光の光電変換信号を、測定部１０１から受信する。
【０１１８】
入力部１０９は、判定装置１３０を使用する被検者からの操作入力を受け付けるものであり、例えば、操作ボタン（操作キー）により構成される。入力部１０９をタッチパネルにより構成し、表示デバイスの一部に被検者からの操作入力を受け付ける操作キーを表示して、被検者によるタッチ操作入力を受け付けてもよい。
【０１１９】
本実施形態に係る判定装置１３０によっても、第１実施形態で説明した判定装置１０に対応する効果を得ることができ、被検者にとって有用性が高まる。
【０１２０】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。また、いくつかの実施形態に示した各要件は、自由に組み合わせが可能である。
【０１２１】
例えば、上記実施形態では、被検部位が腕であると説明したが、被検部位は腕に限られない。被検部位は、例えば、手、指、脚等を含む、測定部により生体に関する情報が測定可能な任意の部位であってよい。
【０１２２】
例えば、上記実施形態では、対象物質が浸透した接触部材２０を貼付することにより被検部位に対象物質を接触させる例について説明した。しかしながら、被検者は、接触部材２０を用いることなく、例えば、予め被検部位に対象物質を塗布し、対象物質を塗布した被検部位に判定装置を貼付することにより、判定処理を実行させてもよい。
【０１２３】
例えば、上記実施形態では、対象物質がアルコールである場合の例について説明したが、対象物質はアルコールに限られない。対象物質は、被検部位に接触することにより、被検部位における生体の変化が測定可能な任意の物質であってよい。判定装置により、例えば、対象物質に対する被検者のアレルギー反応を判定することができる。このような対象物質として、卵、乳、小麦、そば、かに、えび、落花生、埃、花粉等を任意に利用することができる。
【符号の説明】
【０１２４】
１０、５０、６０、１００、１１０、１２０、１３０  判定装置
１０ａ、６０ａ、１０５  測定装置本体
１１、６１、６２、１０１  測定部
１１ａ、６１ａ  発光部
１１ｂ、６１ｂ  受光部
１２、７２  制御部（判定部）
１２ａ、６２ａ、７２ａ  プロセッサ
１３、６３、７３  記憶部
１４、７４  報知部
２０  接触部材
２１、５０ａ  第１の面
２２、５０ｂ  第２の面
２３  開口
３０、３１、３２、３３  テープ
４０  保持部
４０ａ  第１端
４０ｂ  第２端
５１  流路
５１ａ  接触流路
５１ｂ  注入流路
５２  注入口
６２  制御部
６５、７５、１０２、１０４  通信部
７０  情報処理装置
１０３  ケーブル
１０７  表示部
１０９  入力部
２００  判定システム
３０１  ネットワーク
１００１  被検者データ
１００３  測定データ
【図１】
2019055046.tif 000003
【図２】
2019055046.tif 000004
【図３】
2019055046.tif 000005
【図４】
2019055046.tif 000006
【図５】
2019055046.tif 000007
【図６】
2019055046.tif 000008
【図７】
2019055046.tif 000009
【図８】
2019055046.tif 000010
【図９】
2019055046.tif 000011
【図１０】
2019055046.tif 000012
【図１１】
2019055046.tif 000013
【図１２】
2019055046.tif 000014
【図１３】
2019055046.tif 000015
【図１４】
2019055046.tif 000016
【図１５】
2019055046.tif 000017